(57)【要約】【課題】電話装置に印刷手段を設けることで、簡単な方法で印刷可能にすると共にネットワーク性も兼ね備えた電話装置を提供する。【解決手段】撮像装置との接続部２４と、無線通信手段２２を備えた子機２と、前記子機２の無線通信手段２２と通信を行う無線通信手段７と、プリンタ部９を備えた親機１を有し、前記撮像手段から前記子機２に取り込まれた画像データを前記親機１のプリンタ部９にて印刷するように構成することにより、簡単な方法で撮像装置の画像データを印刷することが可能となり、また、ネットワークによる画像データの配信も可能となる。【選択図】図１
2005348085.tif 000002
【特許請求の範囲】
【請求項１】
撮像装置との接続部と、無線通信手段を備えた移動機と、前記移動機の無線通信手段と通信を行う無線通信手段と、印刷手段を備えた固定機を有し、前記撮像装置から前記移動機に取り込まれた画像データを前記固定機の印刷手段にて印刷することを特徴とする電話装置。
【請求項２】
前記固定機に撮像装置との接続部を備え、前記接続部から固定機に取り込まれた画像データを前記印刷手段にて印刷することを特徴とする請求項１に記載の電話装置。
【請求項３】
撮像装置との接続部と、無線通信手段を備えた移動機と、前記移動機の無線通信手段と通信を行う無線通信手段と、印刷手段と、表示手段を備えた固定機を有し、前記デジタルカメラ等から前記移動機に取り込まれた画像データを前記固定機の表示手段で表示すると共に印刷手段にて印刷することを特徴とする電話装置。
【請求項４】
前記固定機に撮像装置との接続部と、メモリーカードとの接続部を備え、前記接続部から固定機に取り込まれた画像データを前記表示手段で表示すると共に前記印刷手段にて印刷することを特徴とする請求項３に記載の電話装置。
【請求項５】
前記固定機はファクシミリ通信手段を備え、前記固定機に取り込まれた画像データを前記ファクシミリ通信手段にて送信することを特徴とする請求項３もしくは４に記載の電話装置。
【請求項６】
撮像装置やメモリーカードとの接続部を通して画像データを取り込む画像データ取り込み手段と、通話手段と、印刷手段と、ブロードバンドモデムを備え、前記画像データ取り込み手段から取り込まれた画像データと前記通話手段から入力された音声信号をブロードバンドモデムを通して通信網に送出することを特徴とする電話装置。
【請求項７】
デジタルカメラやメモリーカードとの接続部を通して画像データを取り込む画像データ取り込み手段と、通話手段と、印刷手段と、ブロードバンドモデムとの接続部を備え、前記画像データ取り込み手段から取り込まれた画像データと前記通話手段から取り込まれた音声信号をブロードバンドモデムを通して通信網に送出することを特徴とする電話装置。
【請求項８】
前記ブロードバンドモデムはルーター機能を有し、前記ブロードバンドモデムに接続されたデジタル家電からの画像データを取り込んで印刷することを特徴とする請求項７記載の電話装置。
【発明の詳細な説明】
【技術分野】
【０００１】
本発明は、撮像装置などの画像データを取り込んで印刷することが可能な印刷機能を有する電話装置に関する。
【背景技術】
【０００２】
デジタルカメラはもとより携帯電話にカメラ部を設けたり、デジタルビデオカメラでも静止画を取り込む機能が搭載されている。このようにして取り込まれた画像データは着脱可能なメモリーに蓄積されたり、携帯電話の場合ネットワークを介して他の装置に送信したりすることが可能である。
【０００３】
ところで、着脱可能なメモリーに取り込まれた画像データはパソコンのメモリーカードスロットにメモリーカードを装着して画像データを取り込みパソコンに接続されたプリンタで印刷することができる。また、携帯電話のカメラ部から取り込まれた画像データは携帯電話のデータ通信網を介してパソコンなどに他の装置に転送可能である。
【０００４】
ところで、デジタルカメラと携帯電話を接続してデジタルカメラで撮影した画像データを携帯電話を介して他の装置に送信するものがある。
【特許文献１】特開２００３−６０９５２号公報
【特許文献２】特開２００１−２３８１２４号公報
【発明の開示】
【発明が解決しようとする課題】
【０００５】
ところが、従来画像データを蓄積したメモリーをパソコンに装着して印刷する場合パソコンやプリンタなどを稼動状態にしていろいろなアプリケーションソフトを立ち上げた上で、印刷しなければならなかった。また、携帯電話で画像データをパソコンなどに送信して印刷しようとする場合でも同様の操作上の煩雑さがあった。
【０００６】
そこで、本発明においては、電話装置に印刷手段を設けることで、簡単な方法で印刷可能にすると共にネットワーク性も兼ね備えた電話装置を提供することを目的とする。
【課題を解決するための手段】
【０００７】
上記課題を解決するため、撮像装置との接続部と、無線通信手段を備えた子機と、前記子機の無線通信手段と通信を行う無線通信手段と、印刷手段を備えた親機を有し、前記撮像手段から前記子機に取り込まれた画像データを前記親機の印刷手段にて印刷するように構成したものである。
【発明の効果】
【０００８】
本発明によれば、簡単な方法で撮像装置の画像データを印刷することが可能となり、また、ネットワークによる画像データの配信も可能となる。
【発明を実施するための最良の形態】
【０００９】
本願の第１の発明は、撮像装置との接続部と、無線通信手段を備えた移動機と、移動機の無線通信手段と通信を行う無線通信手段と、印刷手段を備えた固定機を有し、撮像装置から移動機に取り込まれた画像データを固定機の印刷手段にて印刷することを特徴とする電話装置としたものであり、子機に接続された撮像装置から画像データを子機が取り込み、取り込んだデータを親機に送信する。親機は子機から送信された画像データを印刷する。これにより、携帯性を有する子機を撮像装置に接続して離れた所にある親機で画像デー
タを印刷することが可能となる。
【００１０】
本願の第２の発明は、固定機に撮像装置との接続部を備え、接続部から固定機に取り込まれた画像データを印刷手段にて印刷することを特徴とした電話装置としたものであり、親機に接続した撮像装置から画像データを取り込んで印刷する。これにより、親機子機のいずれからも画像データを取り込んで印刷することが可能となる。
【００１１】
本願の第３の発明は、撮像装置との接続部と、無線通信手段を備えた移動機と、移動機の無線通信手段と通信を行う無線通信手段と、印刷手段と、表示手段を備えた固定機を有し、デジタルカメラ等から移動機に取り込まれた画像データを固定機の表示手段で表示すると共に印刷手段にて印刷することを特徴とした電話装置としたものであり、子機に接続された撮像装置から画像データを子機が取り込み、取り込んだデータを親機に送信する。親機は子機から送信された画像データを表示手段で表示すると共に選択された画像データを印刷する。これにより、携帯性を有する子機を撮像装置に接続して離れた所にある親機で画像データを選択して印刷することが可能となる。
【００１２】
本願の第４の発明は、固定機に撮像装置との接続部と、メモリーカードとの接続部を備え、接続部から固定機に取り込まれた画像データを表示手段で表示すると共に印刷手段にて印刷することを特徴とした電話装置としたものであり、親機に接続した撮像装置やメモリーカードから取り込んだ画像データを表示手段に表示して選択して印刷する。これにより親機子機のいずれからも取り込んだ画像データを表示手段に表示して選択して印刷することが可能となる。
【００１３】
本願の第５の発明は、固定機はファクシミリ通信手段を備え、固定機に取り込まれた画像データをファクシミリ通信手段にて送信することを特徴とした電話装置としたものであり、親機又は子機により取り込んだ画像データを印刷手段で印刷すると共に取り込んだ画像データをファクシミリ通信手段で相手先に送信する。これにより、画像データを見せたい相手先に簡単な方法で送信することが可能となる。
【００１４】
本願の第６の発明は、撮像装置やメモリーカードとの接続部を通して画像データを取り込む画像データ取り込み手段と、通話手段と、印刷手段と、ブロードバンドモデムを備え、画像データ取り込み手段から取り込まれた画像データと通話手段から入力された音声信号をブロードバンドモデムを通して通信網に送出することを特徴とした電話装置としたものであり、親機又は子機から取り込んだ画像データを親機の印刷手段で印刷すると共に取り込んだ画像データをインターネットを経由して送信するものである。これにより、そのままの画像データを見せたい相手先に簡単な方法で送信することが可能となる。
【００１５】
本願の第７の発明は、デジタルカメラやメモリーカードとの接続部を通して画像データを取り込む画像データ取り込み手段と、通話手段と、印刷手段と、ブロードバンドモデムとの接続部を備え、画像データ取り込み手段から取り込まれた画像データと通話手段から取り込まれた音声信号をブロードバンドモデムを通して通信網に送出することを特徴とした電話装置としたものであり、親機又は子機から取り込んだ画像データを親機の印刷手段で印刷すると共に取り込んだ画像データを外付けのブロードバンドモデムを介してインターネットを経由して送信するものである。これにより、そのままの画像データを見せたい相手先に簡単な方法で送信することが可能となる。
【００１６】
本願の第８の発明は、ブロードバンドモデムはルーター機能を有し、ブロードバンドモデムに接続されたデジタル家電からの画像データを取り込んで印刷することを特徴とした電話装置としたものであり、外付けのルーターに接続されたデジタル家電からの画像データを親機で取り込み親機の印刷手段で印刷する。これによりネットワークに接続された装
置の画像データも印刷することが可能となる。
【００１７】
以下、本発明の実施の形態について、図面を参照して説明する。
【００１８】
（実施の形態１）
図１は本発明の実施の形態１におけるコードレス電話装置の親機のブロック図、図２は実施の形態１におけるコードレス電話装置子機のブロック図である。
【００１９】
図１において、１は親機、３は電話回線、４は電話回線３とのインターフェイス回路、５はダイヤル信号発生回路、６はリング信号検出回路、７は子機２と無線通信を行う無線通信回路、９はプリンタ部、１０はＵＳＢ接続部、１１はメモリーカード接続部でＳＤカードなどが接続される。１２はアンテナ、１３は親機の各回路の制御を行う制御手段、１４はメモリー、１５は操作部である。
【００２０】
図２において、２は子機、２１はアンテナ、２２は無線通信回路、２３は操作部、２４はＵＳＢ接続部、２５はメモリーカード接続部でＳＤカードなどが接続される。２６はスピーカー、２７はマイク、２８は制御手段、２９は呼出信号発生手段、３０はメモリーである。
【００２１】
以上のように構成されたコードレス電話装置について以下その動作について説明する。
【００２２】
まず、電話をかける場合は、子機の操作部２３にある通話ボタンを押下すると制御手段２８は無線通信回路２２を介して通話信号を送信する。固定機１はこの信号をアンテナ１２を介して無線通信回路７で受信すると通話信号を制御手段１３に出力する。制御手段１３はインターフェイス回路４を制御して電話回線３を閉結する。その後、子機２の操作部２３からダイヤル番号を入力すると前述の通話信号と同様ダイヤル信号が無線通信回路７で受信され、制御手段１３はダイヤル信号発生回路５を制御してダイヤル信号を電話回線３に送出させる。
【００２３】
次に電話回線３から着信があった場合は、リング信号検出回路６が電話回線３から入力されるリング信号を検出し、制御手段１３に出力する。制御手段１３は無線通信回路７から子機２に呼出信号を送信する。子機２はこの信号を無線通信回路２２で受信すると、制御手段２８が呼出信号発生手段２９を制御して呼出音を発生させる。ここで子機の使用者が操作部２３の通話ボタンを押下するとこの信号が親機１に送出され親機１は電話回線３を閉結して通話状態となる。
【００２４】
次に子機２のＵＳＢ接続部２４にＵＳＢケーブルを介して接続されたデジタルカメラなどの撮像装置の画像データを取り込む場合について説明する。
【００２５】
まず、子機２のＵＳＢ接続部２４にＵＳＢケーブルを介してデジタルカメラなどの撮像装置を接続する。次に撮像装置を再生モードにして転送したい画像データを表示させた状態で、子機２の操作部２３の画像取り込みボタンを押下すると、今撮像装置の表示部に表示されている画像データを取り込んでメモリー３０に記憶させる。
【００２６】
次にこの画像を親機のプリンタ部９で印刷させる場合には、子機２の操作部２３の印刷ボタンを押下すると撮像装置から取り込まれてメモリー３０に記憶されている画像データを無線通信回路２２を介して親機１に送信する。親機１の無線通信回路７は、この信号を受信すると一旦メモリー１４に記憶させ、プリンタ部９から印刷させる。
【００２７】
なお、印刷ボタンを押下する前に子機２の操作部２３のダイヤルボタンから印刷する部
数を指定して印刷ボタンを押下すると、親機１のプリンタ部９は指定された印刷枚数を印刷する。
【００２８】
次に、親機１に設けられたＵＳＢ接続部１０を介して撮像装置に記憶された画像信号を取り込んで印刷する場合について説明する。
【００２９】
まず、親機１のＵＳＢ接続部１０にＵＳＢケーブルを介してデジタルカメラなどの撮像装置を接続する。次に撮像装置を再生モードにして転送したい画像データを表示させた状態で、親機１の操作部１５の画像取り込みボタンを押下すると、今撮像装置の表示部に表示されている画像データを取り込んでメモリー１４に記憶させる。
【００３０】
次にこの画像をプリンタ部９で印刷させる場合には、親機１の操作部１５の印刷ボタンを押下すると、制御手段１３は撮像装置から取り込まれてメモリー１４に記憶されている画像データをプリンタ部９に印刷させる。
【００３１】
また、撮像装置を接続した状態で印刷ボタンを押下すると、画像の取り込みと印刷までを自動的に行う。
【００３２】
このように、本実施の形態１におけるコードレス電話装置では、子機に接続された撮像装置に記録されている画像データを親機に取り込んで、印刷することが可能となる。
【００３３】
また、親機にも撮像装置との接続手段を設けることによって、親機に接続された撮像装置から画像データを取り込んで印刷することも可能である。
【００３４】
（実施の形態２）
図３は実施の形態２におけるコードレス電話装置親機のブロック図、図４は実施の形態２におけるコードレス電話装置子機のブロック図である。
【００３５】
図３において、４１は親機、４２は電話回線、４３は電話回線４２とのインターフェイス回路、４４はダイヤル信号発生回路、４５はリング信号検出回路、４６は電話回線４２とファクシミリ信号などのデータ信号の送受信を行うデータ信号送受信手段である。４７は子機２と無線通信を行う無線通信回路、４８はプリンタ部、４９はＵＳＢ接続部、５０はメモリーカード接続部、５２は表示手段、５３はアンテナ、５４は親機の各回路の制御を行う制御手段、５５は操作部、５６はメモリーである。なお実施の形態１の親機に較べてデータ信号送受信手段４６、表示手段５２が新たに設けられている。
【００３６】
図４において、６１は子機、６２はアンテナ、６３は無線通信回路、６４は操作部、６５はＵＳＢ接続部、６６はメモリーカード接続部でＳＤカードなどが接続される。６７はスピーカー、６８はマイク、６９は制御手段、７０は受話信号をデジタル信号からアナログ信号に変換しスピーカー６７出力すると共にマイク６８からの送話信号をデジタル信号に変換して無線通信回路６３に出力するＣＯＤＥＣである。７１はメモリー、７２は呼び出し信号発生手段である。
【００３７】
以上のように構成されたコードレス電話装置について以下その動作について説明する。
【００３８】
まず、通話をする場合は実施の形態１と同様であり、その説明は省略する。
【００３９】
次に子機６１のＵＳＢ接続部６５にＵＳＢケーブルを介して接続されたデジタルカメラなどの撮像装置の画像データを取り込む場合について説明する。
【００４０】
まず、子機６１のＵＳＢ接続部６５にＵＳＢケーブルを介してデジタルカメラなどの撮像装置を接続する。次に撮像装置を再生モードにして転送したい画像データを表示させた状態で、子機６１の操作部６４の画像取り込みボタンを押下すると、今撮像装置の表示部に表示されている画像データを取り込んでメモリー７１に記憶させる。
【００４１】
次にこの画像を親機４１に転送させる場合、子機６１の操作部６４の転送ボタンを押下すると撮像装置から取り込まれてメモリー７１に記憶されている画像データを無線通信回路６３を介して親機４１に送信する。親機４１の無線通信回路４７は、この信号を受信するとメモリー５６に記憶させる。
【００４２】
撮像装置から子機６１に次々に画像データを取り込んで、転送ボタンを押下すると、子機６１から次々に画像データが送信されてくる。親機４１はこの画像データをメモリー５６に蓄積する。
【００４３】
次に親機４１の操作部５５の画像表示ボタンを押すとメモリー５６に記憶されている画像データが表示手段５２に表示される。表示方法は、表示手段５２を複数の枠に区切って一定枚数ずつ表示する。そして、カーソルにより特定の画像データを選択して拡大ボタンを押下すると、選択された画像データが全画面表示で表示される。
【００４４】
次にその状態で操作部５５の印刷ボタンを押下すると、表示手段５２に表示されている画像データがプリンタ部４８に転送され印刷される。
【００４５】
次に、親機４１に設けられたＵＳＢ接続部４９やメモリーカード接続部５０を介して撮像装置に記憶された画像データを取り込む場合について説明する。
【００４６】
ＵＳＢ接続部４９にはデジタルカメラなどの撮像装置、メモリーカード接続部５０にはデジタルカメラやデジタルビデオカメラに搭載されているＳＤカードなどのメモリーカードが接続される。親機４１の操作部５５から画像取り込みボタンを押下すると、制御手段５４はＵＳＢ接続部４９に接続されている撮像装置のメモリー５６から画像データを取り込みメモリー５６に蓄積する。また、メモリーカード接続部５０にメモリーカードが接続されている場合には、メモリーカードに記憶されている画像データを取り込んでメモリー５６に蓄積する。なお、メモリー５６がいっぱいになった場合には、これ以上の画像データを記憶できないことを表示手段５２で表示する。
【００４７】
次にメモリー５６に蓄積された画像データを表示手段５２に表示させて印刷する場合には、前述と同様の操作を行うと、制御手段５４はメモリー５６に記憶されている画像データを表示手段５２に表示してプリンタ部４８に印刷させる。
【００４８】
次にメモリー５６に蓄積された画像データをファクシミリ通信にて送信する場合について説明する。
【００４９】
前述と同様操作部５５の表示ボタンを押下すると、メモリー５６に記憶されている画像データが表示される。この中から送信したい画像データを選択した状態で操作部５５から相手方のＦＡＸ番号をダイヤルすると、制御手段５４はダイヤル信号発生手段４４にダイヤル信号を発生させ、インターフェイス回路４３を介してダイヤル信号を電話回線４２に送出する。相手方のファクシミリ装置が応答した状態で、操作部５５のＦＡＸ送信ボタンを押下すると選択した画像データがデータ信号送受信手段４６によりファクシミリ信号に変換され電話回線４２に送信される。
【００５０】
このように、本実施の形態２におけるコードレス電話装置では、子機に接続された撮像
装置に記録されている画像データを親機に取り込んで、その取り込んだ画像を表示手段で表示させ選択して印刷することが可能となる。
【００５１】
また、親機にも撮像装置との接続手段を設けることによって、親機に接続された撮像装置から画像データを取り込んで表示手段に表示させて選択して印刷することも可能である。
【００５２】
また、親機に取り込まれ選択された画像データをファクシミリ信号に変換して相手先に送信することも可能である。
【００５３】
（実施の形態３）
図３は実施の形態２におけるコードレス電話装置親機のブロック図、図４は実施の形態２におけるコードレス電話装置子機のブロック図は図３と図４と同様である。ただし、図３においてデータ信号送受信手段４６はＡＤＳＬ通信が可能なデータ信号送受信手段となっている。
【００５４】
以上のように構成されたコードレス電話装置について以下その動作について説明する。
【００５５】
まず、子機６１のＵＳＢ接続部６５にＵＳＢケーブルを介して接続されたデジタルカメラなどの撮像装置の画像データを取り込む場合について説明する。
【００５６】
子機６１のＵＳＢ接続部６５にＵＳＢケーブルを介してデジタルカメラなどの撮像装置を接続する。次に撮像装置を再生モードにして転送したい画像データを表示させた状態で、子機６１の操作部６４の画像取り込みボタンを押下すると、今撮像装置の表示部に表示されている画像データを取り込んでメモリー７１に記憶させる。
【００５７】
次にこの画像を親機４１に転送させる場合、子機６１の操作部６４の転送ボタンを押下すると撮像装置から取り込まれてメモリー７１に記憶されている画像データを無線通信回路６３を介して親機４１に送信する。親機４１の無線通信回路４７は、この信号を受信するとメモリー５６に記憶させる。
【００５８】
撮像装置から子機６１に次々に画像データを取り込んで、転送ボタンを押下すると、子機６１から次々に画像データが送信されてくる。親機４１はこの画像データをメモリー５６に蓄積する。
【００５９】
次に、親機４１に設けられたＵＳＢ接続部４９やメモリーカード接続部５０を介して撮像装置に記憶された画像データを取り込む場合について説明する。
【００６０】
ＵＳＢ接続部４９にはデジタルカメラなどの撮像装置、メモリーカード接続部５０にはデジタルカメラやデジタルビデオカメラに搭載されているＳＤカードなどのメモリーカードが接続される。親機４１の操作部５５から画像取り込みボタンを押下すると、制御手段５４はＵＳＢ接続部４９に接続されている撮像装置のメモリー５６から画像データを取り込みメモリー５６に蓄積する。また、メモリーカード接続部５０にメモリーカードが接続されている場合には、メモリーカードに記憶されている画像データを取り込んでメモリー５６に蓄積する。なお、メモリー５６がいっぱいになった場合には、これ以上の画像データを記憶できないことを表示手段５２で表示する。
【００６１】
次に親機４１の操作部５５の画像表示ボタンを押すとメモリー５６に記憶されている画像データが表示手段５２に表示される。表示方法は、表示手段５２を複数の枠に区切って一定枚数ずつ表示する。そして、カーソルにより特定の画像データを選択して拡大ボタン
を押下すると、選択された画像データが全画面表示で表示される。
【００６２】
次にその状態で操作部５５の印刷ボタンを押下すると、表示手段５２に表示されている画像データがプリンタ部４８に転送され印刷される。
【００６３】
更に、メモリー５６に記憶されている画像データをインターネットを介してインターネットに接続された相手先に送信する場合について説明する。
【００６４】
まず、親機４１の操作部５５から送信したい相手の電子メールアドレスを入力する。これは本コードレス電話装置の電子電話帳に予め相手先名と電話番号、並びに電子メールアドレスを登録しておき、これを選択することでも可能であるが、詳細については省略する。電子メールアドレスの入力が終了すると、制御手段５４は表示手段５２の一部に電子メールアドレスを表示させる。
【００６５】
次に親機４１の操作部５５の画像表示ボタンを押すとメモリー５６に記憶されている画像データが表示手段５２の電子メールアドレスが表示されている以外の部分に表示される。表示方法は、表示手段５２を複数の枠に区切って一定枚数ずつ表示する。そして、カーソルにより特定の画像データを選択して拡大ボタンを押下すると、選択された画像データが全画面表示で表示される。このようにして送信したい画像データを選択した状態で、操作部５５から送信ボタンを押下すると、制御手段５４はデータ信号送受信手段４６から選択された画像データのＡＤＳＬ信号を送信させる。このデータはインターネット内のサーバーにいったん蓄積される。送信相手先はメールが着信したことを通知され、これに基づきメールを受信すると画像データを見ることができる。
【００６６】
なお、画像データの送信は、送信相手先の電話番号を直接ダイヤルして送信することも可能である。これは、インターネット電話による方式を使用するもので、インターネット内のサーバーに電話番号とＩＰアドレスの対応を示すサーバーがあり、このサーバーに登録されているデータを参照することにより、受信した電話番号の相手先のインターネット電話に接続するものである。このインターネット電話方式は音声データに加えて画像データの送受信を行うことも可能であり、本発明のコードレス電話では、送信相手先の電話番号をダイヤルして画像データの送信ボタンを押下すると、選択された画像データが相手先に送信されることとなる。
【００６７】
このように、本実施の形態３におけるコードレス電話装置では、親機に取り込んだ画像データを印刷することが可能になると共に内蔵のデータ信号送受信手段により画像データをインターネット経由で送信することも可能となる。
【００６８】
（実施の形態４）
図５は実施の形態３におけるコードレス電話装置親機のブロック図である。子機のブロック図は図４と同様でありその説明は省略する。また図５においても図３との相違点のみ説明する。
【００６９】
図５において、８１はイーサネット（登録商標）接続部、８２はブロードバンド電話アダプタ、ここではＡＤＳＬモデムとルーター機能を兼ね備えるものである。８３はデジタルテレビなどのデジタル家電である。また、データ信号送受信手段４６はデジタル信号を発生させてイーサネット（登録商標）接続部８１に送信する。
【００７０】
以上のように構成されたコードレス電話装置について以下その動作について説明する。
【００７１】
まず、子機６１のＵＳＢ接続部６５にＵＳＢケーブルを介して接続されたデジタルカメ
ラなどの撮像装置の画像データを取り込む場合について説明する。
【００７２】
子機６１のＵＳＢ接続部６５にＵＳＢケーブルを介してデジタルカメラなどの撮像装置を接続する。次に撮像装置を再生モードにして転送したい画像データを表示させた状態で、子機６１の操作部６４の画像取り込みボタンを押下すると、今撮像装置の表示部に表示されている画像データを取り込んでメモリー７１に記憶させる。
【００７３】
次にこの画像を親機４１に転送させる場合、子機６１の操作部６４の転送ボタンを押下すると撮像装置から取り込まれてメモリー７１に記憶されている画像データを無線通信回路６３を介して親機４１に送信する。親機４１の無線通信回路４７は、この信号を受信するとメモリー５６に記憶させる。
【００７４】
撮像装置から子機６１に次々に画像データを取り込んで、転送ボタンを押下すると、子機６１から次々に画像データが送信されてくる。親機４１はこの画像データをメモリー５６に蓄積する。
【００７５】
次に、親機４１に設けられたＵＳＢ接続部４９やメモリーカード接続部５０を介して撮像装置に記憶された画像データを取り込む場合について説明する。
【００７６】
ＵＳＢ接続部４９にはデジタルカメラなどの撮像装置、メモリーカード接続部にはデジタルカメラやデジタルビデオカメラに搭載されているＳＤカードなどのメモリーカードが接続される。親機４１の操作部５５から画像取り込みボタンを押下すると、制御手段５４はＵＳＢ接続部４９に接続されている撮像装置のメモリー５６から画像データを取り込みメモリー５６に蓄積する。また、メモリーカード接続部５０にメモリーカードが接続されている場合には、メモリーカードに記憶されている画像データを取り込んでメモリー５６に蓄積する。なお、メモリー５６がいっぱいになった場合には、これ以上の画像データを記憶できないことを表示手段５２で表示する。
【００７７】
次に親機４１の操作部５５の画像表示ボタンを押すとメモリー５６に記憶されている画像データが表示手段５２に表示される。表示方法は、表示手段５２を複数の枠に区切って一定枚数ずつ表示する。そして、カーソルにより特定の画像データを選択して拡大ボタンを押下すると、選択された画像データが全画面表示で表示される。
【００７８】
次にその状態で操作部５５の印刷ボタンを押下すると、表示手段５２に表示されている画像データがプリンタ部４８に転送され印刷される。
【００７９】
更に、メモリー５６に記憶されている画像データをインターネット網介してインターネットに接続された相手先に送信する場合について説明する。
【００８０】
まず、親機４１の操作部５５から送信したい相手の電子メールアドレスを入力する。これは本コードレス電話装置の電子電話帳に予め相手先名と電話番号、並びに電子メールアドレスを登録しておき、これを選択することでも可能であるが、詳細については省略する。電子メールアドレスの入力が終了すると、制御手段５４は表示手段５２の一部に電子メールアドレスを表示させる。
【００８１】
次に親機４１の操作部５５の画像表示ボタンを押すとメモリー５６に記憶されている画像データが表示手段５２の電子メールアドレスが表示されている以外の部分に表示される。表示方法は、表示手段５２を複数の枠に区切って一定枚数ずつ表示する。そして、カーソルにより特定の画像データを選択して拡大ボタンを押下すると、選択された画像データが全画面表示で表示される。このようにして送信したい画像データを選択した状態で、操
作部５５から送信ボタンを押下すると、制御手段５４はデータ信号送受信手段４６から選択された画像データのデジタル信号を発生させイーサネット（登録商標）接続部８１からブロードバンド電話アダプタ８２に送出し、ブロードバンド電話アダプタ８２はこの信号をＡＤＳＬ信号に変換してインターネットに送出させる。このデータはインターネット内のサーバーにいったん蓄積され、送信相手先が受信すると送信相手先の装置で見ることが可能となる。
【００８２】
なお、画像データの送信は、送信相手先の電話番号を直接ダイヤルして送信することも可能である。これは、インターネット電話による方式を使用するもので、インターネット内のサーバーに電話番号とＩＰアドレスの対応を示すサーバーがあり、このサーバーに登録されているデータを参照することにより、受信した電話番号の相手先のインターネット電話に接続するものである。このインターネット電話方式は音声データに加えて画像データの送受信を行うことも可能であり、本発明のコードレス電話では、送信相手先の電話番号をダイヤルして画像データの送信ボタンを押下すると、選択された画像データが相手先に送信されることとなる。
【００８３】
次に、デジタルテレビやＤＶＤレコーダーなどのデジタル家電からのデータを取り込んで印刷する場合について説明する。
【００８４】
本発明のコードレス電話はブロードバンド電話アダプタ８２により、ネットワークを組んでおり、コードレス電話はネットワーク内にデジタル家電が接続されていることを認識している。
【００８５】
次に操作部５５からネットワークの表示ボタンを押下すると、制御手段５４はネットワーク内のデジタル家電を表示手段５２に表示させる。次に表示されているデジタル家電をカーソルボタンにより選択して取り込みボタンを押すと、デジタル家電内に記憶されている画像データをブロードバンド電話アダプタ８２を介して取り込み、メモリー５６に記憶させる。
【００８６】
次にこの画像をプリンタ部４８で印刷させる場合には、親機４１の操作部５５の印刷ボタンを押下すると、制御手段５４はデジタル家電８３から取り込まれてメモリー５６に記憶されている画像データをプリンタ部４８に印刷させる。
【００８７】
このように、本実施の形態４におけるコードレス電話装置では、親機に取り込んだ画像データを印刷することが可能になると共にインターネット電話アダプタにより、画像データをインターネット経由で送信することも可能となる。また、ルーターに接続されているデジタル家電から画像データを親機に取り込んで印刷することが可能となる。
【産業上の利用可能性】
【００８８】
本発明の電話装置は、画像データを取り込んで印刷する電話装置として有用であり、特に多様な方法で画像データを取り込んで印刷することが可能な電話装置として好適である。
【図面の簡単な説明】
【００８９】
【図１】本発明の実施の形態１におけるコードレス電話装置の親機のブロック図
【図２】実施の形態１におけるコードレス電話装置子機のブロック図
【図３】実施の形態２におけるコードレス電話装置親機のブロック図
【図４】実施の形態２におけるコードレス電話装置子機のブロック図
【図５】実施の形態３におけるコードレス電話装置親機のブロック図
【符号の説明】
【００９０】
１    親機
２    子機
３    電話回線
４    インターフェイス回路
５    ダイヤル信号発生回路
６    リング信号検出回路
７    無線通信回路
９    プリンタ部
１０    ＵＳＢ接続部
１１    メモリーカード接続部
１２    アンテナ
１３    制御手段
１４    メモリー
１５    操作部
２１    アンテナ
２２    無線通信回路
２３    操作部
２４    ＵＳＢ接続部
２５    メモリーカード接続部
２６    スピーカー
２７    マイク
２８    制御手段
４１    親機
４２    電話回線
４３    インターフェイス回路
４４    ダイヤル信号発生回路
４５    リング信号検出回路
４６    データ信号送受信手段
４７    無線通信回路
４８    プリンタ部
４９    ＵＳＢ接続部
５０    メモリーカード接続部
５２    表示手段
５３    アンテナ
５４    制御手段
５５    操作部
５６    メモリー
６１    子機
６２    アンテナ
６３    無線通信回路
６４    操作部
６５    ＵＳＢ接続部
６６    メモリーカード接続部
６７    スピーカー
６８    マイク
６９    制御手段
７０    ＣＯＤＥＣ
７１    メモリー
７２    呼び出し信号発生手段
８１    イーサネット（登録商標）接続部
８２    ブロードバンド電話アダプタ
８３    デジタル家電
【図１】
2005348085.tif 000003
【図２】
2005348085.tif 000004
【図３】
2005348085.tif 000005
【図４】
2005348085.tif 000006
【図５】
2005348085.tif 000007